(57)【特許請求の範囲】
【請求項１】
閉鎖的空間の外部の温度及び相対湿度を測定し、その測定値により吸着除湿機使用の低温多湿ゾーンと、温風機使用の低温低湿ゾーンと、冷凍機使用の高温多湿ゾーンと、送風機使用の高温低湿ゾーンとのいずれかを判定し、その判定したゾーンの前記使用機器を作動させて閉鎖的空間内に送風又は吸引し、該閉鎖的空間内を乾燥させることを特徴とする閉鎖的空間の乾燥方法。
【請求項２】
前記低温多湿ゾーンは、温度をｘ軸とし相対湿度をｙ軸とした座標で、相対湿度５０±５％（ｙ＝５０±５）以上で、ｋ点（１０±２、１００）及びｔ点（２２±２、５０±５）を結ぶ線で示す温度未満で囲われた範囲内であり、前記低温低湿ゾーンは、前記座標で、相対湿度５０±５％（ｙ＝５０±５）未満で、ｔ点（２２±２、５０±５）及びｓ点（２９±２、０）を結ぶ線で示す温度未満で囲われた範囲内であり、前記高温多湿ゾーンは、前記座標で、相対湿度５０±５％（ｙ＝５０±５）以上で、ｋ点（１０±２、１００）及びｔ点（２２±２、５０±５）を結ぶ線で示す温度以上で囲われた範囲内であり、前記高温低湿ゾーンは、前記座標で、相対湿度５０±５％（ｙ＝５０±５）未満で、ｔ点（２２±２、５０±５）及びｓ点（２９±２、０）を結ぶ線で示す温度以上で囲われた範囲内である請求項１記載の閉鎖的空間内の乾燥方法。
【請求項３】
閉鎖的空間は、過飽和状態にある請求項１又は２記載の閉鎖的空間内の乾燥方法。
【請求項４】
低温多湿ゾーンで使用する吸着除湿機と、低温低湿ゾーンで使用する温風機と、高温多湿ゾーンで使用する冷凍機と、高温低湿ゾーンで使用する送風機と、閉鎖的空間の外部の温度及び相対湿度を測定する検知器と、該検知器の測定値に基づいて前記各ゾーンの何れかを判定すると共に、判定したゾーンで使用する前記機器に作動指令を行う制御部とを有することを特徴とする閉鎖的空間内の乾燥装置。
【請求項５】
前記低温多湿ゾーンは、温度をｘ軸とし相対湿度をｙ軸とした座標で、相対湿度５０±５％（ｙ＝５０±５）以上で、ｋ点（１０±２、１００）及びｔ点（２２±２、５０±５）を結ぶ線で示す温度未満で囲われた範囲内であり、前記低温低湿ゾーンは、前記座標で、相対湿度５０±５％（ｙ＝５０±５）未満で、ｔ点（２２±２、５０±５）及びｓ点（２９±２、０）を結ぶ線で示す温度未満で囲われた範囲内であり、前記高温多湿ゾーンは、前記座標で、相対湿度５０±５％（ｙ＝５０±５）以上で、ｋ点（１０±２、１００）及びｔ点（２２±２、５０±５）を結ぶ線で示す温度以上で囲われた範囲内であり、前記高温低湿ゾーンは、前記座標で、相対湿度５０±５％（ｙ＝５０±５）未満で、ｔ点（２２±２、５０±５）及びｓ点（２９±２、０）を結ぶ線で示す温度以上で囲われた範囲内であることを特徴とする請求項４記載の閉鎖的空間内の乾燥装置。
【請求項６】
前記吸着除湿機と、前記温風機と、前記冷凍送風機と、前記送風機と、前記検知器と、前記制御部とが一体に組み込まれ、移動自在としたことを特徴とする請求項４又は５記載の閉鎖的空間内の乾燥装置。
【請求項７】
前記閉鎖的空間が、過飽和状態にある請求項４〜６のいずれか１項記載の閉鎖的空間内の乾燥装置。
【発明の詳細な説明】
【０００１】
【発明の属する技術分野】
本発明は、配管内、配管ピット及び室内等の乾燥を効率よく行うための閉鎖的空間内の乾燥方法及びその装置に関するものである。
【０００２】
【従来の技術】
発電所や工業プラントでは冷却配管や熱交換器（以下、配管等という。）が多数存在している。これら配管等の点検あるいは補修は内部の水を抜いた後に実施する。その際、残留する水により配管等に錆が発生することがある。この錆の発生を防ぐには配管等内を乾燥すればよい。従来、この配管等内の閉鎖的空間内を乾燥する方法としては、（１）  温風機により熱風を閉鎖的空間内に送り込み、閉鎖的空間内の温度を高くして乾燥する方法、（２）  送風機により閉鎖的空間内に多量の外気を送り込み乾燥する方法及び（３）  吸着除湿機（特開昭５４−１２７８７０号公報等）や冷凍機（特開昭６２−１６２８８０号公報等）により乾燥した空気を閉鎖的空間内に送り込み乾燥する方法等がある。
【０００３】
【発明が解決しようとする課題】
従来の上記乾燥方法は、いずれも閉鎖的空間の外部の状況、例えば、季節や天候の違い、沖縄と北海道などの地域の相違に関係なく、閉鎖的空間内を乾燥させようとするものである。このため、必ずしも最適な条件で乾燥させるものではないため、乾燥効率が悪く、コスト高となり、特に閉鎖的空間内が過飽和状態にある場合に顕著であった。すなわち、前記（１）  の温風機利用の場合、単に外気の温度を上げ閉鎖的空間内に送風するだけなので、多湿時や高温低湿時には乾燥効率が悪い。前記（２）  の送風機利用の場合、単に外気を閉鎖的空間内に送風するだけなので、多湿時や低温低湿時には乾燥効率が悪い。前記（３）  の吸着除湿機や冷凍送風機利用の場合、外気を除湿して閉鎖的空間内に送風するものの、いずれも作動させるのに多量の電気エネルギーを必要とする。加えて外気の温度及び相対湿度の変化により、除湿効率が変化する。例えば、吸着除湿機は高温時に効率が低下し、冷凍送風機は低温時に効率が低下する。このため、両者の欠点を補うべく両者を組み合わせる方法もあるが、上記したように両者共に消費電力が大きくコスト高となる。
【０００４】
従って、本発明の目的は、閉鎖的空間内を最も効率のよい状態で乾燥して、省エネルギー化及び低コスト化できる閉鎖的空間内の乾燥方法及びその装置を提供することにある。
【０００５】
【課題を解決するための手段】
かかる状況において、本発明者らは、鋭意検討を行った結果、閉鎖的空間の外部の空気、すなわち、外気の温度及び相対湿度を測定し、その測定値により吸着除湿機使用と、温風機使用と、冷凍送風機使用と、送風機使用とのいずれかを判定し、その判定した機器を作動させて閉鎖的空間内に送風し、乾燥させるようにすれば、閉鎖的空間内を最も効率のよい状態で乾燥して、省エネルギー化及び低コスト化できることを見い出し、本発明を完成するに至った。
【０００６】
すなわち、本請求項１に係る発明は、閉鎖的空間の外部の温度及び相対湿度を測定し、その測定値により吸着除湿機使用の低温多湿ゾーンと、温風機使用の低温低湿ゾーンと、冷凍機使用の高温多湿ゾーンと、送風機使用の高温低湿ゾーンとのいずれかを判定し、その判定したゾーンの前記使用機器を作動させて閉鎖的空間内に送風又は吸引し、該閉鎖的空間内を乾燥させることを特徴とする閉鎖的空間の乾燥方法を提供するものである。かかる構成を採ることにより、外気の状況が何ゾーンに属するかを判定し、そのゾーンで最も効率のよい機器を作動させるから、閉鎖的空間内を最も効率よく乾燥させることができる。
【０００７】
また、本請求項２に係る発明は、前記低温多湿ゾーンは、温度をｘ軸とし相対湿度をｙ軸とした座標で、相対湿度５０±５％（ｙ＝５０±５）以上で、ｋ点（１０±２、１００）及びｔ点（２２±２、５０±５）を結ぶ線で示す温度未満で囲われた範囲内であり、前記低温低湿ゾーンは、前記座標で、相対湿度５０±５％（ｙ＝５０±５）未満で、ｔ点（２２±２、５０±５）及びｓ点（２９±２、０）を結ぶ線で示す温度未満で囲われた範囲内であり、前記高温多湿ゾーンは、前記座標で、相対湿度５０±５％（ｙ＝５０±５）以上で、ｋ点（１０±２、１００）及びｔ点（２２±２、５０±５）を結ぶ線で示す温度以上で囲われた範囲内であり、前記高温低湿ゾーンは、前記座標で、相対湿度５０±５％（ｙ＝５０±５）未満で、ｔ点（２２±２、５０±５）及びｓ点（２９±２、０）を結ぶ線で示す温度以上で囲われた範囲内である閉鎖的空間内の乾燥方法を提供するものである。かかる構成を採ることにより、上記機能に加え、前記各ゾーンの範囲が明確になる。
【０００８】
また、本請求項３に係る発明は、閉鎖的空間が、過飽和状態にある閉鎖的空間内の乾燥方法を提供するものである。かかる構成を採ることにより、上記機能に加え、閉鎖的空間内が過飽和状態にあると、外気の状況に応じた最も効率のよい機器を作動させることで、その乾燥効率が顕著に高めることができる。
【０００９】
また、本請求項４に係る発明は、低温多湿ゾーンで使用する吸着除湿機と、低温低湿ゾーンで使用する温風機と、高温多湿ゾーンで使用する冷凍機と、高温低湿ゾーンで使用する送風機と、閉鎖的空間の外部の温度及び相対湿度を測定する検知器と、該検知器の測定値に基づいて前記各ゾーンの何れかを判定すると共に、判定したゾーンで使用する前記機器に作動指令を行う制御部とを有することを特徴とする閉鎖的空間内の乾燥装置を提供するものである。かかる構成を採ることにより、上記した閉鎖的空間内の乾燥方法を最も良く実現できる。
【００１０】
また、本請求項５に係る発明は、前記低温多湿ゾーンは、温度をｘ軸とし相対湿度をｙ軸とした座標で、相対湿度５０±５％（ｙ＝５０±５）以上で、ｋ点（１０±２、１００）及びｔ点（２２±２、５０±５）を結ぶ線で示す温度未満で囲われた範囲内であり、前記低温低湿ゾーンは、前記座標で、相対湿度５０±５％（ｙ＝５０±５）未満で、ｔ点（２２±２、５０±５）及びｓ点（２９±２、０）を結ぶ線で示す温度未満で囲われた範囲内であり、前記高温多湿ゾーンは、前記座標で、相対湿度５０±５％（ｙ＝５０±５）以上で、ｋ点（１０±２、１００）及びｔ点（２２±２、５０±５）を結ぶ線で示す温度以上で囲われた範囲内であり、前記高温低湿ゾーンは、前記座標で、相対湿度５０±５％（ｙ＝５０±５）未満で、ｔ点（２２±２、５０±５）及びｓ点（２９±２、０）を結ぶ線で示す温度以上で囲われた範囲内である閉鎖的空間内の乾燥装置を提供するものである。かかる構成を採ることにより、上記機能に加え、前記各ゾーンの範囲が明確になる。
【００１１】
また、本請求項６に係る発明は、前記吸着除湿機と、前記温風機と、前記冷凍送風機と、前記送風機と、前記検知器と、前記制御部とが一体に組み込まれ、移動自在とした閉鎖的空間内の乾燥装置を提供するものである。かかる構成を採ることにより、上記機能に加え、乾燥する必要のある閉鎖的空間近傍に容易に移動でき、直ちに作動可能となる。
【００１２】
また、本請求項７に係る発明は、閉鎖的空間が、過飽和状態にある閉鎖的空間内の乾燥装置を提供するものである。かかる構成を採ることにより、上記機能に加え、閉鎖的空間内が過飽和状態にあると、外気の状況に応じた装置内の最も効率のよい機器を作動させることで、その乾燥効率を顕著に高めることができる。
【００１３】
【発明の実施の形態】
以下、本発明の実施の形態例を図１〜図４を参照して詳述する。
図１は本発明の実施の形態である閉鎖的空間内の乾燥装置を示すフローシート図、図２は使用機器選定のための相対湿度と温度との関係を示す特性図である。図１において、１は閉鎖的空間内の乾燥装置（以下、単に乾燥装置という。）を示し、該乾燥装置１は、低温多湿ゾーンＡで使用する吸着除湿機２と、低温低湿ゾーンＢで使用する温風機３と、高温多湿ゾーンＣで使用する冷凍機４と、高温低湿ゾーンＤで使用する送風機５と、閉鎖的空間６の外部の温度及び相対湿度を測定する検知器７と、この検知器７の測定値に基づいて各ゾーンＡ〜Ｄから何れかのゾーンを判定すると共に、判定したゾーンＡ〜Ｄの内、１つのゾーンの機器、すなわち、各機器２〜５のうちの１つの機器に作動指令を行う制御部８とを有するものである。
【００１４】
そして、前記閉鎖的空間内の乾燥装置１における各機器は以下のように接続されている。流入ライン１０の下流側は３分岐し、ライン１１により自動弁１２を経由して吸着除湿機２に接続し、更に流出ライン１３に接続している。更にライン１４により自動弁１５、１５ａを経由して順次冷凍機４、温風機３、送風機５に接続し、最終的に流出ライン１３に接続している。なお、冷凍機４の上流側及び下流側間のライン１４には自動弁１６が設けられたバイパスライン１７が接続されている。また、ライン１８により自動弁１９を経由して送風機５の上流側のライン１４に接続している。流出ライン１３は閉鎖的空間６に接続され、閉鎖的空間６には通気口２０が設けられている。なお、流入ライン１０は、鎖線ライン２１で示すように、閉鎖的空間６に接続していてもよい。
【００１５】
吸着除湿機２は、除湿ローター内にシリカゲルやゼオライト等の吸水物質を収容し、この除湿ローターを除湿ゾーンと再生ゾーンとに区分した機構中を回転させ、湿った空気を除湿ゾーンに通し吸水物質で吸湿して乾燥空気とし閉鎖的空間６に送風し、再生ゾーンで水分を吸湿した吸水物質に加熱空気を通し水分を放出させて再生させるものである。この吸着除湿機２は、閉鎖的空間６の外部の空気、すなわち、外気が低温であっても空気中の水分の絶対量を減少させるから、低温時の除湿能力は冷凍機４より高く、一方温度の上昇と共に吸水物質の除湿能力が低下する特性がある。従って、吸着除湿機２は、外気が前記低温多湿ゾーンＡにある場合に使用する。この低温多湿ゾーンＡは、図２に示すように、温度をｘ軸とし相対湿度をｙ軸とした座標で、相対湿度５０±５％（ｙ＝５０±５）以上で、ｋ点（１０±２、１００）（括弧内の数値は左が温度、右が相対湿度であり、以下同様である。）及びｔ点（２２±２、５０±５）（括弧内の数値は左が温度、右が相対湿度であり、以下同様である。）を結ぶ線で示す温度未満で囲われた範囲内である。なお、この吸着除湿機２は、逆に閉鎖的空間６内の空気を鎖線ライン２１を経由して吸引し、除湿してもよい。
【００１６】
前記温風機３は、ヒーターにより外気の温度を高くして閉鎖的空間６に送風するものである。この温風機３は、外気の温度を高くすることで多量の水蒸気を含有できるようにして、被乾燥面に付着している水分を蒸発させ、外部に排出するため、低温時の乾燥効率が高く、一方外気が高湿度であると温度を高くしても含有し得る水蒸気量がその割に増えず乾燥効率が低下する特性がある。従って、この温風機３は、低温低湿ゾーンＢで使用する。この低温低湿ゾーンＢは、前記座標で、相対湿度５０±５％（ｙ＝５０±５）未満で、ｔ点（２２±２、５０±５）及びｓ点（２９±２、０）（括弧内の数値は左が温度、右が相対湿度であり、以下同様である。）を結ぶ線で示す温度未満で囲われた範囲内である。
【００１７】
前記冷凍機４は、外気の露点以下の温度になっているクーラーにより外気中の水蒸気を結露させ除去し、その後温度を上げて相対湿度を下げてから閉鎖的空間６に送風するものである。この冷凍機４は、外気中の水蒸気を結露させ除去するものであるから、外気の温度が低いと結露させ得る水蒸気が少なく、結果的に乾燥効率が低くなる特性がある。従って、この冷凍機４は、前記高温多湿ゾーンＣで使用する。この高温多湿ゾーンＣは、前記座標で、相対湿度５０±５％（ｙ＝５０±５）以上で、ｋ点（１０±２、１００）及びｔ点（２２±２、５０±５）を結ぶ線で示す温度以上で囲われた範囲内である。なお、この冷凍機４は、逆に閉鎖的空間６内の空気を鎖線ライン２１を経由して吸引し、除湿してもよい。
【００１８】
送風機５は、外気をそのまま閉鎖的空間６に送風し、被乾燥面に付着している水分を蒸発させ、外部に排出させるものであるから、外気が高温であると乾燥効率が高くなり、外気が高湿度であると乾燥効率が低下し、更に外気が低温であると水分を蒸発させづらく、乾燥効率が低下する特性がある。従って、この送風機５は、前記高温低湿ゾーンＤで使用される。この高温低湿ゾーンＤは、前記座標で、相対湿度５０±５％（ｙ＝５０±５）未満で、ｔ点（２２±２、５０±５）及びｓ点（２９±２、０）を結ぶ線で示す温度以上で囲われた範囲内である。
【００１９】
次に上記構成からなる乾燥装置１により閉鎖的空間内の乾燥方法を詳述する。まず、乾燥させたい閉鎖的空間６近傍に乾燥装置１をセットし、閉鎖的空間６近傍の外気の温度及び相対湿度を検知器７により測定する。その測定値に基づいて外気が何ゾーンＡ〜Ｄに属するかを制御部８により判定し、かつその判定結果により使用する各機器２〜５のうちの１つの機器に作動指令を行う。その判定が低温多湿ゾーンＡで、作動指令が吸着除湿機２に出された時は、自動弁１２が開、自動弁１５、１６、１９が閉となり、吸着除湿機２はオンとなり、流入ライン１０から入った空気はライン１１を通り吸着除湿機２に入り除湿されて流出ライン１３から閉鎖的空間６内に送風され乾燥される。なお、閉鎖的空間６内の空気を流入ライン１０に送ってもよく、その除湿した空気を再び閉鎖的空間６内に送風してもよい。
【００２０】
その判定が低温低湿ゾーンＢで、作動指令が温風機３に出された時は、自動弁１５、１６が開、自動弁１２、１５ａ、１９が閉となり、温風機３及び送風機５はオンとなり、流入ライン１０から入った空気はライン１４、バイパスライン１７を通り温風機３に入り加熱されて流出ライン１３から閉鎖的空間６内に送風され、乾燥される。
【００２１】
その判定が高温多湿ゾーンＣで、作動指令が冷凍機４に出された時は、自動弁１５、１５ａが開、自動弁１２、１６、１９が閉となり、冷凍機４及び送風機５はオンとなり、流入ライン１０から入った空気はライン１４を通り冷凍機４に入り除湿されて流出ライン１３から閉鎖的空間６内に送風され乾燥される。なお、閉鎖的空間６内の空気を流入ライン１０に送ってもよく、その除湿した空気を再び閉鎖的空間６内に送風してもよい。
【００２２】
その判定が高温低湿ゾーンＤで、作動指令が送風機５に出された時は、自動弁１９が開、自動弁１２、１５、１６が閉となり、送風機５はオンとなり、流入ライン１０から入った空気はライン１８、１４を通り送風機５に入り、流出ライン１３から閉鎖的空間６内に送風され乾燥される。
【００２３】
なお、相対湿度は５０±５％（ｙ＝５０±５）であり、ｋ点（１０±２、１００）、ｔ点（２２±２、５０±５）及びｓ点（２９±２、０）であり、いずれも幅のある数値となっている。仮に、相対湿度５０％、ｋ点（１０、１００）、ｔ点（２２、５０）及びｓ点（２９、０）とし、幅のある数値の中間点に設定した場合、前記低温多湿ゾーンＡは、上記した座標で、相対湿度５０％以上で、ｋ点（１０、１００）及びｔ点（２２、５０）を結ぶ線で示す温度未満で囲われた範囲内となる。更に、前記低温低湿ゾーンＢは、相対湿度５０未満で、ｔ点（２２、５０）及びｓ点（２９、０）を結ぶ線で示す温度未満で囲われた範囲内となり、前記高温多湿ゾーンＣは、相対湿度５０％以上で、ｋ点（１０、１００）及びｔ点（２２、５０）を結ぶ線で示す温度以上で囲われた範囲内となり、前記高温低湿ゾーンＤは、相対湿度５０％未満で、ｔ点（２２、５０）及びｓ点（２９、０）を結ぶ線で示す温度以上で囲われた範囲内となる。相対湿度、ｋ点、ｔ点及びｓ点の設定値が上記した範囲内で変動しても、各数値の間の取り合いは上記の中間値の場合と同様であり、重複することがない。また、各ゾーンの判定に際しては、前述の如く、その境界において相対湿度に関しては±５％、温度に関しては±２℃の許容範囲がある。この許容範囲内であれば、各ゾーンを選択することによる乾燥を効率の低下を伴わずに行わせることができる。
【００２４】
乾燥装置１は、図３の模式図に示すように、一体に組み込まれ、可搬型乾燥装置１ａとしてもよい。この可搬型乾燥装置１ａの吸着除湿機２は、共通架台３０の上方に位置し、除湿通路３１と再生通路３２とがあり、除湿通路３１には入口３３、除湿ローター３４の除湿ゾーン３４ａ、除湿ファン３５が設置されている。再生通路３２には入口３６、、再生ヒーター３７、除湿ローター３４の再生ゾーン３４ｂ、再生ファン３８が設置されている。そして、入口３３から除湿通路３１内に入った湿った空気は、除湿ローター３４の除湿ゾーン３４ａを通り除湿され、除湿ファン３５により乾いた空気となる。一方除湿ローター３４内の水分を含んだ吸水物質は、除湿ローター３４の回転により、再生ゾーン３４ｂに位置すると、入口３６から再生通路３２に入った空気が再生ヒーター３７により高温となり、再生ゾーン３４ｂに入り吸水物質から水分を蒸発させ再生して、再生ファン３８により外部に排出される。
【００２５】
可搬型乾燥装置１ａの冷凍機４、温風機３、送風機５は、共通架台３０上に位置し、除湿通路４０に設置されている。すなわち、除湿通路４０には入口４１、冷凍機４の構成要素の冷却コイル４２、温風機３の構成要素の加熱コイル４３、送風機５が設置され、更に、冷却コイル４２及び加熱コイル４３に冷水及び温水を送るチラーユニット４４が配管４５により接続している。そして、温風機３使用の時は、チラーユニット４４から温水が加熱コイル４３に送られ、送風機５が作動することで、入口４１から入った空気が加熱コイル４３により温風となる。冷凍機４使用の時は、チラーユニット４４から冷水が冷却コイル４２に送られ、送風機５が作動することで、入口４１から入った空気が冷却コイル４２により除湿され乾いた空気となる。送風機５使用の時は、送風機５のみが作動し、入口４１から入った空気がそのまま排出される。
【００２６】
なお、このチラーユニット４４は、図３では独立して可搬型となっているが、上記共通架台３０に設置してもよい。なお、共通架台３０、チラーユニット４４は，共に車輪４６にて自在に移動可能となっている。この可搬型乾燥装置１ａの運転内容の詳細は、上記の乾燥装置１と略同様であるのでその説明を省略する。
【００２７】
次に、可搬型乾燥装置１ａを用いた実際規模の実施例について説明する。
図４に示すのは工業プラントの配管５０の保守時に、配管５０内部を乾燥処理する場合を示し、この配管５０は内径１２００ｍｍであり人が入れる。この配管５０内を仕切り板５１及び５２により閉鎖的空間５３を形成し、この中を乾燥させる。まず、ハッチ５４に可搬型乾燥装置１ａの除湿ファン３５及び送風機５に接続している配管５５を差し込み設置し、更にハッチ５６に排気装置５７に接続している配管５８を差し込み設置する。検知器７により外気を測定すると、温度２０℃、相対湿度４０％であり、これは制御器８により低温低湿ゾーンＢと明確に判定される。従って、温風機３が作動し、すなわち、チラーユニット４４から温水が加熱コイル４３に送られ、配管５５から閉鎖的空間５３内に温風が送風され、閉鎖的空間５３内にある水分を蒸発させ、水分を十分含んだ空気は配管５８を経由して排気装置５７から外部に排出され、閉鎖的空間５３内を乾燥させる。そして、排気装置５７から外部に排出される空気の相対湿度が３５％以下となった時点で、閉鎖的空間５３内が乾燥したものと判定し、可搬型乾燥装置１ａ及び排気装置５７の作動を停止する。
【００２８】
本発明において、閉鎖的空間としては、各種製造所及び工場等で各種装置群を連接する実質的に閉鎖状態にある配管、各種機器類の内部空間、地下配管及び室内等が挙げられる。
【００２９】
以上、本発明の実施形態を説明したが、具体的な構成はこれに限定されず、本発明の要旨を逸脱しない範囲での変更、追加は本発明の範囲内である。
【００３０】
【発明の効果】
以上詳述したように、請求項１の発明によれば、外気の温度及び相対湿度を測定するだけで、閉鎖的空間外の状況が何ゾーンに属するかを判定でき、そのゾーンで最も効率のよい機器を作動させるから、閉鎖的空間内を最も効率よく乾燥させることができる。従って、最も効率よく乾燥させるから、低乾燥コストにて閉鎖的空間内を乾燥でき、乾燥時間も短縮できる。
【００３１】
請求項２の発明によれば、各ゾーンの範囲が明確になる。従って、感覚的にではなく、具体的な測定値により閉鎖的空間外がどのゾーンに属しているか、判定するから、常に最も効率の高い機器を使用して乾燥させるから、上記効果をなお一層高めることができる。
【００３２】
請求項３の発明によれば、閉鎖的空間内が過飽和状態にあると、外気の状況に応じた最も効率のよい機器を作動させることで、その乾燥効率が顕著に高められる。従って、過飽和状態の閉鎖的空間内で、特にその利点が顕著に現れて都合がよい。
【００３３】
請求項４の発明によれば、上記した閉鎖的空間内の乾燥方法を最も良く実現できる。従って、最も効率良く乾燥させるから、低乾燥コストにて閉鎖的空間内を乾燥でき、乾燥時間も少なくできる。
【００３４】
請求項５の発明によれば、各ゾーンの範囲が明確になる。従って、具体的な測定値により閉鎖的空間外がどのゾーンに属しているか、判定するから、常に最も効率の高い機器を使用して乾燥させるから、上記効果をなお一層高めることができる。
【００３５】
請求項６の発明によれば、乾燥する必要のある閉鎖的空間近傍に容易に移動でき、直ちに作動可能となる。従って、扱いが容易で閉鎖的空間近傍への持ち込み、持ち出しが早くでき、その分結果的に乾燥時間を短縮できる。
【００３６】
請求項７の発明によれば、閉鎖的空間内が過飽和状態にあると、外気の状況に応じた最も効率の良い機器を作動させることで、その高乾燥効率が顕著に現れる。従って、過飽和状態の閉鎖的空間内で、特にその利点が顕著に現れて都合がよい。
【図面の簡単な説明】
【図１】本発明の実施の形態である閉鎖的空間内の乾燥装置を示すフローシート図である。
【図２】本発明の実施の形態である閉鎖的空間内の乾燥装置における使用機器選定のための相対湿度と温度との関係を示す特性図である。
【図３】本発明の他の実施の形態である閉鎖的空間内の乾燥装置の概要を示す側面図である。
【図４】本発明の他の実施の形態である閉鎖的空間内の乾燥装置の使用状態を示す一部を断面した側面図である。
【符号の説明】
１                      閉鎖的空間内の乾燥装置
１ａ                    可搬型乾燥装置
２                      吸着除湿機
３                      温風機
４                      冷凍機
５                      送風機
６、５３                閉鎖的空間
７                      検知器
８                      制御部
１０                    流入ライン
１１、１４、１８        ライン
１２、１５、１５ａ、１６、１９  自動弁
１３                    流出ライン
１７                    バイパスライン
２０                    通気口
２１                    鎖線ライン
３０                    共通架台
３１、４０              除湿通路
３２                    再生通路
３３、３６、４１        入口
３４                    除湿ローター
３４ａ                  除湿ゾーン
３４ｂ                  再生ゾーン
３５                    除湿ファン
３７                    再生ヒーター
３８                    再生ファン
４２                    冷却コイル
４３                    加熱コイル
４４                    チラーユニット
４５、５０、５５、５８  配管
４６                    車輪
５１、５２              仕切り板
５４、５６              ハッチ
５７                    排気装置
Ａ                      低温多湿ゾーン
Ｂ                      低温低湿ゾーン
Ｃ                      高温多湿ゾーン
Ｄ                      高温低湿ゾーン
【図１】
0003604302.tif 000002
【図２】
0003604302.tif 000003
【図３】
0003604302.tif 000004
【図４】
0003604302.tif 000005